(57)【要約】【課題】  ダウンロードし損ねた場合に次回ダウンロードに備えることができる通信端末装置を実現する。【解決手段】  携帯電話１０は、ＡＣ電源駆動中にＴＶスイッチがオン操作されて放送受信を開始した時に、既にダウンロード放送が終了してダウンロードし損ねた状態であると、受信データからダウンロードし損ねたデータタイトルを抽出した後、インターネット５０上の管理サーバ６０にアクセスする。そして、携帯電話１０はダウンロードし損ねたデータタイトルについて次回ダウンロード放送日時を管理サーバ６０に問い合せ、該当する放送日時を受け取ると、その放送日時にダウンロード放送を受信してデータダウンロードを実行する結果、ダウンロードし損ねた場合に次回ダウンロードに備えることができる。【選択図】  図１
2005175748.tif 000002
【特許請求の範囲】
【請求項１】
放送を受信して受信信号を出力する放送受信手段と、
前記放送受信手段の受信信号からダウンロード放送終了を検出してダウンロードの成否を判定する判定手段と、
前記判定手段によりダウンロードし損ねたと判定された場合に、ダウンロード放送日時を記憶管理するサーバに通信回線を介して接続し、当該サーバからダウンロードし損ねたダウンロード放送の次回ダウンロード放送日時を取得する通信手段と、
前記通信手段により取得された次回ダウンロード放送日時に、前記放送受信手段の受信信号に含まれるダウンロード放送データをダウンロードするダウンロード手段と
を具備することを特徴とする通信端末装置。
【請求項２】
放送を受信して受信信号を出力する放送受信手段と、
２次電池以外の外部電源で駆動中に前記放送受信手段の受信信号からダウンロード放送終了を検出した場合、その受信信号からダウンロード放送のデータタイトルを抽出する抽出手段と、
前記抽出手段により抽出されたデータタイトルのダウンロードの成否を判定する判定手段と、
前記判定手段によりダウンロードし損ねたと判定された場合に、データタイトル毎のダウンロード放送日時を記憶管理するサーバに通信回線を介して接続し、当該サーバからダウンロードし損ねたデータタイトルの次回ダウンロード放送日時を取得する通信手段と、
前記通信手段により取得された次回ダウンロード放送日時に２次電池以外の外部電源で駆動されている場合、前記放送受信手段の受信信号に含まれるダウンロード放送データをダウンロードするダウンロード手段と
を具備することを特徴とする通信端末装置。
【請求項３】
放送を受信して受信信号を出力する放送受信手段と、
２次電池以外の外部電源で駆動中に前記放送受信手段の受信信号からダウンロード放送終了を検出した場合、その受信信号からダウンロード放送のデータタイトルを抽出する抽出手段と、
前記抽出手段により抽出されたデータタイトルのダウンロードの成否を判定する判定手段と、
前記判定手段によりダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信手段と、
前記通信手段により取得されたダウンロード放送日時一覧の内、予め設定した条件に合致するダウンロード放送日時を選択してダウンロード時刻として登録する登録手段と、
前記登録手段により登録されたダウンロード時刻に２次電池以外の外部電源で駆動されている場合、前記放送受信手段の受信信号に含まれるダウンロード放送データをダウンロードするダウンロード手段と
を具備することを特徴とする通信端末装置。
【請求項４】
放送を受信して受信信号を出力する放送受信手段と、
２次電池以外の外部電源で駆動中に前記放送受信手段の受信信号からダウンロード放送終了を検出した場合、その受信信号からダウンロード放送のデータタイトルを抽出する抽出手段と、
前記抽出手段により抽出されたデータタイトルのダウンロードの成否を判定する判定手段と、
前記判定手段によりダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信手段と、
前記通信手段により取得されたダウンロード放送日時一覧の内から予め設定した条件に合致するダウンロード放送日時を選択してダウンロード時刻として登録する登録手段と、
前記登録手段によりダウンロード時刻が登録された時点で前記放送受信手段をオフ状態に設定し、ダウンロード時刻直前に２次電池以外の外部電源で駆動されている場合、前記放送受信手段をオン状態に設定し、当該放送受信手段の受信信号に含まれるダウンロード放送データをダウンロードするダウンロード手段と
を具備することを特徴とする通信端末装置。
【請求項５】
放送を受信して受信信号を出力する放送受信処理と、
前記放送受信処理にて得られる受信信号からダウンロード放送終了を検出してダウンロードの成否を判定する判定処理と、
前記判定処理にてダウンロードし損ねたと判定された場合に、ダウンロード放送日時を記憶管理するサーバに通信回線を介して接続し、当該サーバからダウンロードし損ねたダウンロード放送の次回ダウンロード放送日時を取得する通信処理と、
前記通信処理にて取得された次回ダウンロード放送日時に、前記放送受信処理にて得られる受信信号に含まれるダウンロード放送データをダウンロードするダウンロード処理と
をコンピュータで実行させることを特徴とする通信端末処理プログラム。
【請求項６】
放送を受信して受信信号を出力する放送受信処理と、
２次電池以外の外部電源で駆動中に前記放送受信処理で得られる受信信号からダウンロード放送終了を検出した場合、その受信信号からダウンロード放送のデータタイトルを抽出する抽出処理と、
前記抽出処理にて抽出されたデータタイトルのダウンロードの成否を判定する判定処理と、
前記判定処理にてダウンロードし損ねたと判定された場合に、データタイトル毎のダウンロード放送日時を記憶管理するサーバに通信回線を介して接続し、当該サーバからダウンロードし損ねたデータタイトルの次回ダウンロード放送日時を取得する通信処理と、
前記通信処理にて取得された次回ダウンロード放送日時に２次電池以外の外部電源で駆動されている場合、前記放送受信処理で得られる受信信号に含まれるダウンロード放送データをダウンロードするダウンロード処理と
をコンピュータで実行させることを特徴とする通信端末処理プログラム。
【請求項７】
放送を受信して受信信号を出力する放送受信処理と、
２次電池以外の外部電源で駆動中に前記放送受信処理で得られる受信信号からダウンロード放送終了を検出した場合、その受信信号からダウンロード放送のデータタイトルを抽出する抽出処理と、
前記抽出処理にて抽出されたデータタイトルのダウンロードの成否を判定する判定処理と、
前記判定処理にてダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信処理と、
前記通信処理にて取得されたダウンロード放送日時一覧の内から予め設定した条件に合致するダウンロード放送日時を選択してダウンロード時刻として登録する登録処理と、
前記登録処理にて登録されたダウンロード時刻に２次電池以外の外部電源で駆動されている場合、前記放送受信処理で得られる受信信号に含まれるダウンロード放送データをダウンロードするダウンロード手段と
をコンピュータで実行させることを特徴とする通信端末処理プログラム。
【請求項８】
放送を受信して受信信号を出力する放送受信処理と、
２次電池以外の外部電源で駆動中に前記放送受信処理で得られる受信信号からダウンロード放送終了を検出した場合、その受信信号からダウンロード放送のデータタイトルを抽出する抽出処理と、
前記抽出処理にて抽出されたデータタイトルのダウンロードの成否を判定する判定処理と、
前記判定処理にてダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信処理と、
前記通信処理にて取得されたダウンロード放送日時一覧の内から予め設定した条件に合致するダウンロード放送日時を選択してダウンロード時刻として登録する登録処理と、
前記登録処理にてダウンロード時刻が登録された時点で前記放送受信処理をオフ状態に設定し、ダウンロード時刻直前に２次電池以外の外部電源で駆動されている場合、前記放送受信処理をオン状態に設定し、当該放送受信処理で得られる受信信号に含まれるダウンロード放送データをダウンロードするダウンロード処理と
をコンピュータで実行させることを特徴とする通信端末処理プログラム。
【請求項９】
ネットワークに接続され、各種記憶管理するダウンロード放送日時の内から問い合せ内容に該当するダウンロード放送日時を検索して返送するサーバ手段と、
放送を受信して得た受信信号からダウンロード放送終了を検出してダウンロードの成否を判定し、ダウンロードし損ねた場合に前記サーバ手段とネットワークを介して接続してダウンロードし損ねたダウンロード放送の次回ダウンロード放送日時を問い合せ、この問い合せに応じて前記サーバ手段から返送される次回ダウンロード放送日時に、前記受信信号に含まれるダウンロード放送データをダウンロードする通信端末手段と
から構成されることを特徴とするデータダウンロードシステム。
【発明の詳細な説明】
【技術分野】
【０００１】
本発明は、地上デジタル放送のダウンロードサービスを利用する通信端末装置、通信端末処理プログラムおよびデータダウンロードシステムに関する。
【背景技術】
【０００２】
地上デジタル放送では、放送予告した日時にダウンロード放送を行って受信機側にデータをダウンロードさせ、これにより例えば搭載ソフトウェアなどの受信機内情報を更新させるダウンロードサービスが予定されている。地上デジタル放送を受信する機能を備えた携帯電話などの通信端末装置は、電池駆動にて放送受信処理や通信処理を行うが、とりわけ消費電力の多い放送受信処理を実行してダウンロードサービスを受けようとすると、その最中に電池切れを起こしてダウンロードに失敗する虞がある。その為、従来では例えば特許文献１に開示されるように、充電器に接続されて電池充電しつつ、ＡＣ電源駆動される場合にのみデータダウンロードを実行するようにした通信端末装置が発明されている。
【０００３】
【特許文献１】特開２００２−１１１５７３号公報
【発明の開示】
【発明が解決しようとする課題】
【０００４】
ところで、上記特許文献１に開示の装置のように、ＡＣ電源駆動中にのみデータダウンロードを実行可能にすれば、電池切れによるダウンロードの失敗を回避できるものの、ＡＣ電源駆動中であっても放送受信機能をオフしたままであれば、ダウンロード放送を受信できずにダウンロードし損ねることも起こり得る。
そこで本発明は、このような事情に鑑みてなされたもので、ダウンロードし損ねた場合に次回ダウンロードに備えることができる通信端末装置、通信端末処理プログラムおよびデータダウンロードシステムを提供することを目的としている。
【課題を解決するための手段】
【０００５】
上記目的を達成するため、請求項１に記載の通信端末装置は、放送を受信して受信信号を出力する放送受信手段と、前記放送受信手段の受信信号からダウンロード放送終了を検出してダウンロードの成否を判定する判定手段と、前記判定手段によりダウンロードし損ねたと判定された場合に、ダウンロード放送日時を記憶管理するサーバに通信回線を介して接続し、当該サーバからダウンロードし損ねたダウンロード放送の次回ダウンロード放送日時を取得する通信手段と、前記通信手段により取得された次回ダウンロード放送日時に、前記放送受信手段の受信信号に含まれるダウンロード放送データをダウンロードするダウンロード手段とを具備することを特徴とする。
【０００６】
請求項２に記載の通信端末装置は、放送を受信して受信信号を出力する放送受信手段と、２次電池以外の外部電源で駆動中に前記放送受信手段の受信信号からダウンロード放送終了を検出した場合、その受信信号からダウンロード放送のデータタイトルを抽出する抽出手段と、前記抽出手段により抽出されたデータタイトルのダウンロードの成否を判定する判定手段と、前記判定手段によりダウンロードし損ねたと判定された場合に、データタイトル毎のダウンロード放送日時を記憶管理するサーバに通信回線を介して接続し、当該サーバからダウンロードし損ねたデータタイトルの次回ダウンロード放送日時を取得する通信手段と、前記通信手段により取得された次回ダウンロード放送日時に２次電池以外の外部電源で駆動されている場合、前記放送受信手段の受信信号に含まれるダウンロード放送データをダウンロードするダウンロード手段とを具備することを特徴とする。
【０００７】
請求項３に記載の通信端末装置は、放送を受信して受信信号を出力する放送受信手段と、２次電池以外の外部電源で駆動中に前記放送受信手段の受信信号からダウンロード放送終了を検出した場合、その受信信号からダウンロード放送のデータタイトルを抽出する抽出手段と、前記抽出手段により抽出されたデータタイトルのダウンロードの成否を判定する判定手段と、前記判定手段によりダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信手段と、前記通信手段により取得されたダウンロード放送日時一覧の内、予め設定した条件に合致するダウンロード放送日時を選択してダウンロード時刻として登録する登録手段と、前記登録手段により登録されたダウンロード時刻に２次電池以外の外部電源で駆動されている場合、前記放送受信手段の受信信号に含まれるダウンロード放送データをダウンロードするダウンロード手段とを具備することを特徴とする。
【０００８】
請求項４に記載の通信端末装置は、放送を受信して受信信号を出力する放送受信手段と、２次電池以外の外部電源で駆動中に前記放送受信手段の受信信号からダウンロード放送終了を検出した場合、その受信信号からダウンロード放送のデータタイトルを抽出する抽出手段と、前記抽出手段により抽出されたデータタイトルのダウンロードの成否を判定する判定手段と、前記判定手段によりダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信手段と、前記通信手段により取得されたダウンロード放送日時一覧の内から予め設定した条件に合致するダウンロード放送日時を選択してダウンロード時刻として登録する登録手段と、前記登録手段によりダウンロード時刻が登録された時点で前記放送受信手段をオフ状態に設定し、ダウンロード時刻直前に２次電池以外の外部電源で駆動されている場合、前記放送受信手段をオン状態に設定し、当該放送受信手段の受信信号に含まれるダウンロード放送データをダウンロードするダウンロード手段とを具備することを特徴とする。
【０００９】
請求項５に記載の通信端末処理プログラムは、放送を受信して受信信号を出力する放送受信処理と、前記放送受信処理にて得られる受信信号からダウンロード放送終了を検出してダウンロードの成否を判定する判定処理と、前記判定処理にてダウンロードし損ねたと判定された場合に、ダウンロード放送日時を記憶管理するサーバに通信回線を介して接続し、当該サーバからダウンロードし損ねたダウンロード放送の次回ダウンロード放送日時を取得する通信処理と、前記通信処理にて取得された次回ダウンロード放送日時に、前記放送受信処理にて得られる受信信号に含まれるダウンロード放送データをダウンロードするダウンロード処理とをコンピュータで実行させることを特徴とする。
【００１０】
請求項６に記載の通信端末処理プログラムは、放送を受信して受信信号を出力する放送受信処理と、２次電池以外の外部電源で駆動中に前記放送受信処理で得られる受信信号からダウンロード放送終了を検出した場合、その受信信号からダウンロード放送のデータタイトルを抽出する抽出処理と、前記抽出処理にて抽出されたデータタイトルのダウンロードの成否を判定する判定処理と、前記判定処理にてダウンロードし損ねたと判定された場合に、データタイトル毎のダウンロード放送日時を記憶管理するサーバに通信回線を介して接続し、当該サーバからダウンロードし損ねたデータタイトルの次回ダウンロード放送日時を取得する通信処理と、前記通信処理にて取得された次回ダウンロード放送日時に２次電池以外の外部電源で駆動されている場合、前記放送受信処理で得られる受信信号に含まれるダウンロード放送データをダウンロードするダウンロード処理とをコンピュータで実行させることを特徴とする。
【００１１】
請求項７に記載の通信端末処理プログラムは、放送を受信して受信信号を出力する放送受信処理と、２次電池以外の外部電源で駆動中に前記放送受信処理で得られる受信信号からダウンロード放送終了を検出した場合、その受信信号からダウンロード放送のデータタイトルを抽出する抽出処理と、前記抽出処理にて抽出されたデータタイトルのダウンロードの成否を判定する判定処理と、前記判定処理にてダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信処理と、前記通信処理にて取得されたダウンロード放送日時一覧の内から予め設定した条件に合致するダウンロード放送日時を選択してダウンロード時刻として登録する登録処理と、前記登録処理にて登録されたダウンロード時刻に２次電池以外の外部電源で駆動されている場合、前記放送受信処理で得られる受信信号に含まれるダウンロード放送データをダウンロードするダウンロード手段とをコンピュータで実行させることを特徴とする。
【００１２】
請求項８に記載の通信端末処理プログラムは、放送を受信して受信信号を出力する放送受信処理と、２次電池以外の外部電源で駆動中に前記放送受信処理で得られる受信信号からダウンロード放送終了を検出した場合、その受信信号からダウンロード放送のデータタイトルを抽出する抽出処理と、前記抽出処理にて抽出されたデータタイトルのダウンロードの成否を判定する判定処理と、前記判定処理にてダウンロードし損ねたと判定された場合に、データタイトル毎のダウンロード放送日時を記憶管理するサーバに通信回線を介して接続し、当該サーバからダウンロードし損ねたデータタイトルのダウンロード放送日時一覧を取得する通信処理と、前記通信処理にて取得されたダウンロード放送日時一覧の内から予め設定した条件に合致するダウンロード放送日時を選択してダウンロード時刻として登録する登録処理と、前記登録処理にてダウンロード時刻が登録された時点で前記放送受信処理をオフ状態に設定し、ダウンロード時刻直前に２次電池以外の外部電源で駆動されている場合、前記放送受信処理をオン状態に設定し、当該放送受信処理で得られる受信信号に含まれるダウンロード放送データをダウンロードするダウンロード処理とをコンピュータで実行させることを特徴とする。
【００１３】
請求項９に記載のデータダウンロードシステムは、ネットワークに接続され、各種記憶管理するダウンロード放送日時の内から問い合せ内容に該当するダウンロード放送日時を検索して返送するサーバ手段と、放送を受信して得た受信信号からダウンロード放送終了を検出してダウンロードの成否を判定し、ダウンロードし損ねた場合に前記サーバ手段とネットワークを介して接続してダウンロードし損ねたダウンロード放送の次回ダウンロード放送日時を問い合せ、この問い合せに応じて前記サーバ手段から返送される次回ダウンロード放送日時に、前記受信信号に含まれるダウンロード放送データをダウンロードする通信端末手段とから構成されることを特徴とする。
【発明の効果】
【００１４】
請求項１，５に記載の発明によれば、放送を受信して得る受信信号からダウンロード放送終了を検出してダウンロードの成否を判定し、ダウンロードし損ねたと判定された場合に、ダウンロード放送日時を記憶管理するサーバに通信回線を介して接続して当該サーバからダウンロードし損ねたダウンロード放送の次回ダウンロード放送日時を取得し、取得した次回ダウンロード放送日時に、放送を受信して得る受信信号に含まれるダウンロード放送データをダウンロードするので、いったんダウンロードし損ねたとしても、次回ダウンロードに備えることができる。
【００１５】
請求項２，６に記載の発明によれば、２次電池以外の外部電源で駆動中に放送を受信して得る受信信号からダウンロード放送終了を検出した場合、そのダウンロード放送のデータタイトルを抽出する一方、ダウンロードの成否を判定し、ダウンロードし損ねたと判定された場合にはデータタイトル毎のダウンロード放送日時を記憶管理するサーバに通信回線を介して接続し、当該サーバからダウンロードし損ねたデータタイトルの次回ダウンロード放送日時を取得する。そして、取得した次回ダウンロード放送日時に２次電池以外の外部電源で駆動されている場合、放送を受信して得る受信信号に含まれるダウンロード放送データをダウンロードするので、例えば一度、ＡＣ電源駆動中に放送受信機能をオフしたままでダウンロードし損ねても、再度次回ダウンロードに備えることができる。
【００１６】
請求項３，７に記載の発明によれば、２次電池以外の外部電源で駆動中に放送を受信して得る受信信号からダウンロード放送終了を検出した場合、そのダウンロード放送のデータタイトルを抽出する一方、ダウンロードの成否を判定し、ダウンロードし損ねたと判定された場合にはデータタイトル毎のダウンロード放送日時を記憶管理するサーバに通信回線を介して接続し、当該サーバからダウンロードし損ねたデータタイトルのダウンロード放送日時一覧を取得する。そして、取得したダウンロード放送日時一覧の内から予め設定した条件に合致するダウンロード放送日時を選択してダウンロード時刻として登録し、そのダウンロード時刻に２次電池以外の外部電源で駆動されている場合に、放送を受信して得る受信信号に含まれるダウンロード放送データをダウンロードする。したがって、例えばＡＣ電源駆動される夜間の時間帯などを、ダウンロード時刻の選択条件にしておけば、いったんダウンロードし損ねたとしても、次回ダウンロードに備えることができる。
【００１７】
請求項４，８に記載の発明によれば、２次電池以外の外部電源で駆動中に放送を受信して得る受信信号からダウンロード放送終了を検出した場合、そのダウンロード放送のデータタイトルを抽出する一方、ダウンロードの成否を判定し、ダウンロードし損ねたと判定された場合にはデータタイトル毎のダウンロード放送日時を記憶管理するサーバに通信回線を介して接続し、当該サーバからダウンロードし損ねたデータタイトルのダウンロード放送日時一覧を取得する。そして、取得したダウンロード放送日時一覧の内から予め設定した条件に合致するダウンロード放送日時を選択してダウンロード時刻として登録し、ダウンロード時刻が登録された時点で放送受信をオフ状態に設定し、ダウンロード時刻直前に２次電池以外の外部電源で駆動されていれば、放送受信をオン状態に設定し、放送を受信して得る受信信号に含まれるダウンロード放送データをダウンロードする。この為、ダウンロード時刻を登録してからダウンロード時刻直前まで放送受信をオフして通信端末装置の通信機能を優先させながら、次回ダウンロードに備えることができる。
【００１８】
請求項９に記載のデータダウンロードシステムによれば、通信端末手段は放送を受信して得た受信信号からダウンロード放送終了を検出してダウンロードの成否を判定し、ダウンロードし損ねた場合に、ネットワークを介してサーバ手段に接続してダウンロードし損ねたダウンロード放送の次回ダウンロード放送日時を問い合せる。すると、サーバ手段は各種記憶管理するダウンロード放送日時の内から問い合せ内容に該当するダウンロード放送日時を検索して返送する。通信端末手段はサーバ手段から返送される次回ダウンロード放送日時に、放送を受信して得た受信信号に含まれるダウンロード放送データをダウンロードするので、いったんダウンロードし損ねたとしても、次回ダウンロードに備えることができる。
【発明を実施するための最良の形態】
【００１９】
以下、図面を参照して本発明の実施の形態について説明する。
Ａ．発明の概要
先ず最初に図１を参照して本発明の概要を説明する。図１は実施の一形態によるデータダウンロードシステムの概略構成を示すブロック図である。この図において、１０は地上デジタル放送を受信する機能を備えた携帯電話である。携帯電話１０はクレードルと呼ばれる充電器３０に接続された状態でＡＣ電源駆動される。ＡＣ電源駆動中の携帯電話１０において、放送受信機能がオフされたままでダウンロード放送を受信できずにダウンロードし損ねたとする。その後にユーザ操作で携帯電話１０の放送受信機能がオン設定されて放送受信すると、携帯電話１０は受信した放送信号からダウンロード放送終了済みのデータタイトル、つまりダウンロードし損ねたデータタイトルを抽出する。
【００２０】
ダウンロードし損ねたデータタイトルを抽出すると、携帯電話１０は通信処理を実行し、図示せぬ基地局を経てキャリアゲートウェイ４０に無線接続し、さらにキャリアゲートウェイ４０を介してインターネット５０上の管理サーバ６０にアクセスする。管理サーバ６０には、データタイトル毎のダウンロード放送日時がコンテンツとしてデータベースに記憶管理される。管理サーバ６０にアクセスした携帯電話１０は、ダウンロードし損ねたデータタイトルについて次回ダウンロード放送する日時を問い合せ、該当する放送日時を管理サーバ６０から受領する。次回ダウンロード放送日時を受け取った携帯電話１０は通信処理を完了させた後、放送受信機能をオンさせた状態で次回ダウンロード放送日時までダウンロード待機状態を維持する。そして、次回ダウンロード放送日時に受信した放送信号中にダウンロードデータが含まれていることを検出すると、ダウンロード放送を受信してデータダウンロードを実行する。
【００２１】
Ｂ．構成
次に、図２を参照して携帯電話１０の構成を説明する。携帯電話１０は、携帯電話部１００およびＴＶ部２００から構成される。以下、携帯電話部１００とＴＶ部２００とに分けて各部構成を説明する。
【００２２】
（１）携帯電話部１００の構成
携帯電話部１００は通信処理部１０１、制御部１０２、ＲＯＭ１０３、ＲＡＭ１０４、操作部１０５、スピーカ１０６、マイク１０７、表示部１０８および電源部１０９から構成される。通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から輻射する。制御部１０２は、ＣＰＵおよびベースバンド信号処理用のＤＳＰ等から構成され、後述する操作部１０５のスイッチ操作に応じて、携帯電話部１００およびＴＶ部２００の動作を制御する。
【００２３】
携帯電話部１００に関して制御部１０２は、音声信号処理および通信制御処理を実行する。音声信号処理では、通信処理部１０１が発生する通話中の音声データを音声信号にＤ／Ａ変換してスピーカ１６から発音させたり、マイク１７から出力される音声信号を音声データにＡ／Ｄ変換して通信処理部１１に供給する。通信制御処理の内容については、後述するメインルーチンの動作説明で述べる。ＲＯＭ１０３は、制御部１０２により実行される音声信号処理、通信制御処理、後述するメインルーチンおよびダウンロード時刻設定処理の各プログラムや、各種処理に用いる制御データを記憶する。
【００２４】
ＲＡＭ１０４は、制御部１０２が実行する各種処理に使われるフラグやレジスタデータを一時記憶するワークエリアや、ダウンロード放送を受信して抽出したダウンロードデータを格納するダウンロードエリアの他、アドレス帳、着信履歴、発信履歴などを記憶する加入者情報エリア、送受信メールおよび作成メールを記憶するメールエリアおよび待受画面などの各種表示画面を形成する画像データを記憶する表示エリア等を備える。操作部１０５は、パワーオンオフする電源スイッチ、通話開始／終了時に操作されるオフフック／オンフックスイッチ、ＴＶ部２００をオンオフするＴＶスイッチ、ダイヤルスイッチと兼用の文字入力スイッチの他、機能設定スイッチ、カーソルスイッチ、決定スイッチ、戻るスイッチ等を備える。
【００２５】
表示部１０８はカラー液晶パネルおよび表示ドライバから構成され、制御部１０２の制御の下に待受画面など各種画面を表示する。電源部１０９は、バッテリ１０９ａあるいは充電器３０から供給される電源電圧をスイッチングレギュレートして表示部１０８の表示駆動電圧やその他各部の駆動電圧を発生する。また、電源部１０９は充電器３０から電源供給を受けるＡＣ電源駆動の場合、電池残量に応じてバッテリ１０９ａを充電する一方、ＡＣ電源駆動中を制御部１０２に通知する。
【００２６】
（２）ＴＶ部２００の構成
ＴＶ部２００は、ＴＶスイッチ操作に応じてオンオフ設定されるチューナ２０１、トランスポートデコーダ２０２およびＡＶデコーダ２０３の他、携帯電話部１００側と共用される制御部１０２、ＲＯＭ１０３、ＲＡＭ１０４、操作部１０５、スピーカ１０６および表示部１０８から構成される。チューナ２０１は、アンテナＡＮＴ２を介してＵＨＦ帯のデジタルテレビジョン放送信号を選局受信する。トランスポートデコーダ２０２は、チューナ２０１の受信出力をＯＦＤＭ復調して得たトランスポートストリーム信号から番組パケット（ＭＰＥＧデータ）を分離抽出する他、ダウンロード放送されるダウンロードデータおよびそのデータタイトルを抽出する。ＡＶデコーダ２０３は、トランスポートデコーダ２０２が分離抽出した番組パケットを映像／音声データに復号する。ＴＶ部２００における制御部１０２は、チューナ２０１、トランスポートデコーダ２０２およびＡＶデコーダ２０３の入出力を制御する。ＴＶ部２００における操作部１０５には、ＴＶ部２００をオンオフ設定するＴＶスイッチが設けられる。
【００２７】
Ｃ．携帯電話１０の動作
次に、図３〜図８を参照して制御部１０２が実行するメインルーチンおよびダウンロード時刻設定処理の動作を説明する。
（１）メインルーチンの動作
携帯電話１０の電源スイッチが操作されてパワーオンされると、制御部１０２は図３〜図７に図示するメインルーチンを実行する。メインルーチンが実行されると、図３に図示するステップＳＡ１に処理を進め、携帯電話１０の各部を初期化するイニシャライズを実行する。次いで、ステップＳＡ２では、ＲＯＭ１０３から読み出した待ち受け画像データをＲＡＭ１０４の表示エリアにストアし、ストアされた待ち受け画像データに基づき待受画面を表示部１０８に表示する。次に、ステップＳＡ３以降では、操作部１０５に配設されるオフフックスイッチ、オンフックスイッチ、ＴＶスイッチおよび機能設定スイッチのオン操作にそれぞれ対応した処理と、これらスイッチがオン操作されない場合の処理とを実行する。以下、各スイッチ操作がオン操作された場合およびスイッチ操作が行われない場合に分け、これら各場合の処理動作を説明する。
【００２８】
ａ．オフフックスイッチがオン操作された場合
ユーザが通話を開始すべくオフフックスイッチをオン操作すると、ステップＳＡ３の判断結果が「ＹＥＳ」になり、ステップＳＡ４に進み、番号入力処理を実行する。番号入力処理では、表示部１０８に表示される画面を待受画面から番号入力画面に変更し、ダイヤルスイッチの操作に応じて入力された電話番号を番号入力画面に画面表示しつつレジスタセットする。続いて、ステップＳＡ５〜ＳＡ６では、レジスタセットされた電話番号に基づき発信および呼出報知を実行する。呼出報知に応じて着呼側がオフフックして回線が接続されると、ステップＳＡ７の判断結果が「ＹＥＳ」になり、ステップＳＡ８に進み、通話処理を実行する。以後、オンフックスイッチがオン操作されるまでステップＳＡ８の通話処理を継続する。
【００２９】
ｂ．オンフックスイッチがオン操作された場合
上記ステップＳＡ８の通話処理中にユーザがオンフックスイッチをオン操作すると、ステップＳＡ９の判断結果が「ＹＥＳ」となり、ステップＳＡ１０に進み、回線を切る終話処理を実行した後、上述のステップＳＡ２に処理を戻して待受画面表示状態に復帰する。
【００３０】
ｃ．ＴＶスイッチがオン操作された場合
ユーザがＴＶスイッチをオン操作すると、図４に示すステップＳＡ１１の判断結果が「ＹＥＳ」になり、ステップＳＡ１２に進み、ＴＶ部２００（チューナ２０１、トランスポートデコーダ２０２およびＡＶデコーダ２０３）をオン状態に設定する。続いて、ステップＳＡ１３では、ＡＶデコーダ２０３が発生する映像・音声データを表示部１０８に動画表示すると共に、スピーカ１０６から放音する。次に、ステップＳＡ１４では、ＡＣ電源駆動中であるか否か、つまり電源部１０９からＡＣ電源駆動中の通知を受けたかどうかを判断する。バッテリ駆動されていると、判断結果は「ＮＯ」になり、ステップＳＡ１５に進み、ＴＶスイッチのオフ操作の有無を判断する。
【００３１】
ＴＶスイッチがオフ操作されなければ、判断結果は「ＮＯ」になり、上記ステップＳＡ１３に処理を戻す。したがって、バッテリ駆動中ではＴＶスイッチがオフ操作されるまでステップＳＡ１３〜ＳＡ１５を繰り返して放送受信動作を継続する。そして、ＴＶスイッチがオフ操作されると、上記ステップＳＡ１５の判断結果が「ＹＥＳ」になり、ステップＳＡ１６に進み、ＴＶ部２００をオフ状態に設定した後、前述のステップＳＡ２（図３参照）に処理を戻して待受画面表示状態に復帰する。このように、バッテリ駆動されている場合には、ＴＶスイッチのオン操作に応じて放送を受信し、ＴＶスイッチがオフ操作されると、ＴＶ部２００をオフ状態に設定してから待受画面表示状態に復帰するようになっている。
【００３２】
これに対し、ＡＣ電源駆動中であると、上述したステップＳＡ１４の判断結果が「ＹＥＳ」となり、ステップＳＡ１７に処理を進める。ステップＳＡ１７では、受信データ（トランスポートストリーム信号）中にダウンロードデータが含まれているか否か、つまりダウンロード放送を受信しているかどうかを判断する。ダウンロード放送を受信していると、判断結果は「ＹＥＳ」になり、ステップＳＡ１８に進み、ダウンロード待機状態であるか否かを判断する。ダウンロード待機状態であると、判断結果は「ＹＥＳ」となり、ステップＳＡ１９に進み、受信データ（トランスポートストリーム信号）中のダウンロードデータをＲＡＭ１０４のダウンロードエリアに格納するダウンロード処理を実行した後、上述のステップＳＡ１５に処理を戻す。一方、ダウンロード待機状態に設定されていなければ、上記ステップＳＡ１８の判断結果が「ＮＯ」になり、ダウンロード処理を行わずにステップＳＡ１５に処理を戻す。
【００３３】
さて一方、ダウンロード放送を受信しなくなると、上記ステップＳＡ１７の判断結果が「ＮＯ」となり、ステップＳＡ２０に進む。ステップＳＡ２０では、ダウンロード放送の終了であるかどうかを判断する。ダウンロード放送の終了ではない場合、つまりダウンロード放送されていなければ、判断結果は「ＮＯ」になり、何も処理せずに前述のステップＳＡ１５に処理を戻す。これに対し、ダウンロード放送の終了であると、判断結果が「ＹＥＳ」になり、ステップＳＡ２１に進み、受信データ（トランスポートストリーム信号）中からダウンロード放送終了済みのデータタイトルを抽出してレジスタにストアする。
【００３４】
次に、ステップＳＡ２２では、ダウンロード待機状態を解除する。続いて、ステップＳＡ２３では、ダウンロードの成否を判断する。ダウンロード成功であれば、判断結果は「ＹＥＳ」になり、前述のステップＳＡ１５に処理を戻す。一方、例えばダウンロード放送を受信できずにダウンロードし損ねる等、ダウンロードに失敗すると、上記ステップＳＡ２３の判断結果が「ＮＯ」となり、図５に示すステップＳＡ２４に処理を進める。
【００３５】
ステップＳＡ２４では、図１に図示したように、通信処理を実行してキャリアゲートウェイ４０に無線接続し、さらにキャリアゲートウェイ４０を介してインターネット５０上の管理サーバ６０にアクセスする。次いで、ステップＳＡ２５では、レジスタに保存しておいたダウンロード放送終了済みのデータタイトル（ダウンロードし損ねたデータタイトル）の次回ダウンロード放送日時を管理サーバ６０に問い合せる。後述するように、管理サーバ６０では、この問い合せに応じて、データベース登録されたデータタイトル毎のダウンロード放送日時から該当するデータタイトルの次回ダウンロード放送日時を検索し、それを携帯電話１０に返送するようになっている。なお、こうした管理サーバ６０の動作については後述の配信処理で説明する。
【００３６】
次に、ステップＳＡ２６〜ＳＡ２７では、管理サーバ６０からの配信を待ち、「該当する放送日時無し」を受信した場合には、ステップＳＡ２７の判断結果が「ＹＥＳ」となり、ステップＳＡ２８に進み、「次回ダウンロード放送無し」を表示部１０８に一定時間表示してユーザに報知する。この後、ステップＳＡ２９に進み、管理サーバ６０と接続する回線を切断して前述のステップＳＡ１５（図４参照）に処理を戻す。
【００３７】
一方、「次回ダウンロード放送日時」を受信した場合には、上記ステップＳＡ２６の判断結果が「ＹＥＳ」となり、ステップＳＡ３０に進み、受信した「次回ダウンロード放送日時」を表示部１０８に表示してユーザに報知する。そして、ユーザがその表示を見て決定スイッチをオン操作すると、ステップＳＡ３１の判断結果が「ＹＥＳ」になり、ステップＳＡ３４に進み、受信した「次回ダウンロード放送日時」をダウンロード時刻としてレジスタにストアする。この後、ステップＳＡ２９に進み、回線切断して前述のステップＳＡ１５（図４参照）に処理を戻す。
【００３８】
これに対し、「次回ダウンロード放送日時」の表示を見たユーザが、さらに次のダウンロード放送日時を指定すべく次回指定スイッチをオン操作したとする。そうすると、ステップＳＡ３２の判断結果が「ＹＥＳ」になり、ステップＳＡ３３に進み、さらに次のダウンロード放送日時を検索してその検索結果を配信するよう管理サーバ６０に要求する。この後、上記ステップＳＡ２６に処理を戻して管理サーバ６０から返送される配信を待ち、該当する放送日時を管理サーバ６０から受領した場合に、その放送日時をダウンロード時刻に設定する。
【００３９】
このように、ＡＣ電源駆動中にＴＶスイッチがオン操作されて放送受信を開始した時に、既にダウンロード放送が終了してダウンロードし損ねた状態であると、受信データからダウンロードし損ねたデータタイトルを抽出した後、キャリアゲートウェイ４０を介してインターネット５０上の管理サーバ６０にアクセスし、ダウンロードし損ねたデータタイトルについて次回ダウンロード放送日時を問い合せる。そして、該当する放送日時を管理サーバ６０から受け取ると、その放送日時をダウンロード時刻に設定するようになっている。
【００４０】
ｄ．機能設定スイッチがオン操作された場合
ユーザが機能設定スイッチをオン操作すると、図６に示すステップＳＡ３５の判断結果が「ＹＥＳ」になり、ステップＳＡ３６に進み、機能設定画面（不図示）を表示部１０８に表示する。次に、ステップＳＡ３７では、機能設定画面に表示される各種設定項目の内、例えば画面中の最上位行に位置する設定項目にフォーカス（カーソルポインティング）させる。そして、ステップＳＡ３８〜ＳＡ４１では、戻るスイッチ、カーソルスイッチおよび決定スイッチのオン操作に応じた処理を実行する。
【００４１】
すなわち、機能設定を取り止めるべく戻るスイッチをオン操作した場合には、ステップＳＡ４１の判断結果が「ＹＥＳ」になり、ステップＳＡ４２に進み、待受画面表示状態に復帰させてから前述のステップＳＡ３（図３参照）に処理を戻す。一方、所望の項目をフォーカスさせるべくカーソルスイッチをオン操作すると、ステップＳＡ３８の判断結果が「ＹＥＳ」になり、ステップＳＡ３９に進み、フォーカス位置を移動させる。そして、所望の項目がフォーカスされた状態で決定スイッチをオン操作すると、ステップＳＡ４０の判断結果が「ＹＥＳ」になり、ステップＳＡ４３に進む。
【００４２】
ステップＳＡ４３では、フォーカス位置が「ダウンロード時刻設定」であるかどうかを判断する。フォーカス位置が「ダウンロード時刻設定」以外であると、判断結果は「ＮＯ」となり、ステップＳＡ４４に進み、フォーカスされた項目に対応した機能設定を行う、その他の処理を実行する。この後、上述のステップＳＡ３６に処理を戻して機能設定画面表示状態に復帰させる。
【００４３】
一方、フォーカス位置が「ダウンロード時刻設定」であると、上記ステップＳＡ４３の判断結果が「ＹＥＳ」になり、ステップＳＡ４５を介してダウンロード時刻設定処理を実行する。後述するように、ダウンロード時刻設定処理では、ユーザが入力した時刻をダウンロード時刻として登録する。この後、上述のステップＳＡ３６に処理を戻して機能設定画面表示状態に復帰させる。
【００４４】
ｅ．スイッチ操作が行われない場合
スイッチ操作が行われない場合には、前述したステップＳＡ３（図３参照）、ステップＳＡ１１（図４参照）およびステップＳＡ３５（図６参照）の各判断結果が「ＮＯ」になり、図７に示すステップＳＡ４６に進み、現時刻を取得する。なお、制御部１０２内部で計時される時刻は、ＴＶ部２００が受信データ（トランスポートストリーム信号）中から抽出する時刻データを利用して校正され、これにより携帯電話１０側の時刻を放送時刻に同定させるようになっている。続いて、ステップＳＡ４７では、ダウンロード時刻が登録済みであるか否かを判断する。未登録であれば、判断結果は「ＮＯ」となり、前述のステップＳＡ２（図３参照）に処理を戻して待受画面表示状態に復帰させる。一方、上述したステップＳＡ４５を介して実行されるダウンロード時刻設定処理（後述する）によってダウンロード時刻が登録されていると、判断結果は「ＹＥＳ」になり、ステップＳＡ４８に進む。
【００４５】
ステップＳＡ４８〜ＳＡ４９では、登録されたダウンロード時刻の内から現時刻に一致するものがあるか否か、つまりダウンロード時刻に達したかどうかを判断する。ダウンロード時刻に達していなければ、ステップＳＡ４９の判断結果は「ＮＯ」となり、前述のステップＳＡ２（図３参照）に処理を戻して待受画面表示状態に復帰させる。これに対し、ダウンロード時刻に達すると、ステップＳＡ４９の判断結果が「ＹＥＳ」になり、ステップＳＡ５０に進み、ダウンロード待機状態に設定する。次いで、ステップＳＡ５１では、登録されたダウンロード時刻の内から現時刻に一致したダウンロード時刻をクリアする。この後、前述のステップＳＡ２（図３参照）に処理を戻して待受画面表示状態に復帰させる。
【００４６】
（２）ダウンロード時刻設定処理の動作
次に、図８を参照して制御部１０２が実行するダウンロード時刻設定処理の動作を説明する。上述したメインルーチンのステップＳＡ４５（図６参照）を介して本処理が実行されると、制御部１０２は図８に示すステップＳＢ１にてダウンロード時刻設定画面（不図示）を表示部１０８に表示する。続いて、ステップＳＢ２〜ＳＢ５では、ダイヤルスイッチ操作、決定スイッチ操作および戻るスイッチ操作に応じた処理を実行する。
【００４７】
すなわち、ダイヤルスイッチをオン操作して時刻入力すると、ステップＳＢ２の判断結果が「ＹＥＳ」になり、ステップＳＢ３に進み、入力された時刻をダウンロード時刻設定画面に表示する。そして、時刻入力し終えて決定スイッチをオン操作すると、ステップＳＢ４の判断結果が「ＹＥＳ」となり、ステップＳＢ６に進み、入力された時刻をダウンロード時刻としてレジスタに登録して本処理を完了する。決定スイッチをオン操作する以前に、戻るスイッチをオン操作した場合には、ステップＳＢ５の判断結果が「ＹＥＳ」となり、ダウンロード時刻設定を中止して本処理を完了させる。
【００４８】
Ｄ．管理サーバ６０の動作
次に、図９〜図１０を参照して管理サーバ６０が実行する配信処理の動作を説明する。管理サーバ６０は、正規ユーザと認証された携帯電話１０がアクセスしてくると、図９に示す配信処理を実行し、携帯電話１０側からの問い合せ要求に応じた内容を、問い合せてきた携帯電話１０側へ配信する。すなわち、ステップＳＣ１，ＳＣ２では携帯電話１０側からの問い合せ内容が、ダウンロードし損ねたデータタイトルについて次回ダウンロード放送日時であるか、あるいはさらに次のダウンロード放送日時であるかを判断する。以下、次回ダウンロード放送日時の問い合せの場合と、さらに次のダウンロード放送日時の問い合せの場合とに分けて動作説明を進める。
【００４９】
＜次回ダウンロード放送日時の問い合せの場合＞
この場合、ステップＳＣ１の判断結果が「ＹＥＳ」となり、ステップＳＣ３に進む。ステップＳＣ３では、前述のステップＳＡ２５（図５参照）に対応して携帯電話１０側が問い合せた内容、すなわちダウンロードし損ねたデータタイトルについて次回ダウンロード放送日時をデータベース中から検索する。管理サーバ６０では、例えば図１０に図示する一例のように、データタイトル毎のダウンロード放送日時がデータベースＤＢに登録されており、問い合せを受けたデータタイトルを検索キーとして該当するデータタイトルのダウンロード放送日時をデータベースＤＢから検索する。そして、ステップＳＣ４では、該当データの有無を判断する。該当データが無ければ、判断結果は「ＮＯ」となり、ステップＳＣ５に進み、「該当する放送日時無し」を携帯電話１０側に配信してから上記ステップＳＣ１に処理を戻す。一方、該当データが有ると、判断結果は「ＹＥＳ」になり、ステップＳＣ６に進み、「次回ダウンロード放送日時」を携帯電話１０側に配信してから上記ステップＳＣ１に処理を戻す。
【００５０】
＜さらに次のダウンロード放送日時の問い合せの場合＞
この場合、ステップＳＣ２の判断結果が「ＹＥＳ」となり、ステップＳＣ７に進む。ステップＳＣ７では、前述のステップＳＡ３３（図５参照）に対応して携帯電話１０側が問い合せた内容、すなわちダウンロードし損ねたデータタイトルについて次回ダウンロード放送日時のさらに次のダウンロード放送日時をデータベースＤＢから検索する。そして、ステップＳＣ８では、該当データの有無を判断する。該当データが無ければ、判断結果は「ＮＯ」となり、ステップＳＣ５に進み、「該当する放送日時無し」を携帯電話１０側に配信してから上記ステップＳＣ１に処理を戻す。一方、該当データが有ると、判断結果は「ＹＥＳ」になり、ステップＳＣ９に進み、「さらに次のダウンロード放送日時」を携帯電話１０側に配信してから上記ステップＳＣ１に処理を戻す。
【００５１】
以上のように、本実施の形態では、ＡＣ電源駆動中の携帯電話１０でＴＶスイッチがオン操作されて放送受信を開始した時に、既にダウンロード放送が終了してダウンロードし損ねた状態であると、受信データからダウンロードし損ねたデータタイトルを抽出する。その後、携帯電話１０はインターネット５０上の管理サーバ６０にアクセスする。データタイトル毎のダウンロード放送日時を記憶管理する管理サーバ６０にアクセスした携帯電話１０は、ダウンロードし損ねたデータタイトルについて次回ダウンロード放送する日時を問い合せ、該当する放送日時を管理サーバ６０から受領する。次回ダウンロード放送日時を受け取った携帯電話１０は、放送受信機能をオンさせた状態で次回ダウンロード放送日時までダウンロード待機状態を維持し、受信した放送信号中にダウンロードデータが含まれていることを検出すると、データダウンロードを実行する。これにより、一旦ダウンロードし損ねたとしても、次回ダウンロードに備えることが可能になる。
【００５２】
なお、上述した実施の形態では、ダウンロードし損ねたデータタイトルについて次回ダウンロード放送する日時を管理サーバ６０に問い合せて該当する放送日時を受領するようにしたが、これに替えて、例えばダウンロードし損ねたデータタイトルのダウンロード放送日時一覧を管理サーバ６０から受領し、受領したダウンロード放送日時一覧の内、ユーザが予め設定した条件（例えば時間帯）に合致するダウンロード放送日時を選択してダウンロード時刻として登録する態様としても良い。
【００５３】
また、上述の実施の形態では、ＡＣ電源駆動にて放送受信したままダウンロード放送を待つ態様としたが、そのようにすると、携帯電話１０の通信機能が制限されてしまう。そこで、これに替えて、ＡＣ電源駆動状態でダウンロード放送待ちの場合、ダウンロード時刻を登録した後にいったんＴＶ部２００をオフさせ、ダウンロード時刻直前に自動的にオン設定してダウンロード放送を受信させることも可能である。
【００５４】
さらに、上述の実施の形態では、充電器３０に接続されるＡＣ電源駆動時にダウンロード放送を受信してデータダウンロードするようにしたが、ＡＣ電源駆動に限らず、携帯電話１０に内蔵される２次電池（バッテリ）以外の、例えば燃料電池などの電源容量の大きい外部電源で駆動される際にデータダウンロードを実行させるようにしても構わない。
【図面の簡単な説明】
【００５５】
【図１】実施の一形態によるデータダウンロードシステムの概略構成を示すブロック図であ
【図２】携帯電話１０の構成を示すブロック図である。
【図３】メインルーチンの動作を示すフローチャートである。
【図４】メインルーチンの動作を示すフローチャートである。
【図５】メインルーチンの動作を示すフローチャートである。
【図６】メインルーチンの動作を示すフローチャートである。
【図７】メインルーチンの動作を示すフローチャートである。
【図８】ダウンロード時刻設定処理の動作を示すフローチャートである。
【図９】管理サーバ６０が実行する配信処理の動作を示すフローチャートである。
【図１０】管理サーバ６０が備えるデータベースＤＢの登録内容を説明するための図である。
【符号の説明】
【００５６】
１０  携帯電話
３０  充電器
４０  キャリアゲートウェイ
５０  インターネット
６０  管理サーバ
１０１  通信処理部
１０２  制御部
１０３  ＲＯＭ
１０４  ＲＡＭ
１０５  操作部
１０６  スピーカ
１０７  マイク
１０８  表示部
１０９  電源部
２０１  チューナ
２０２  トランスポートデコーダ
２０３  ＡＶデコーダ
【図１】
2005175748.tif 000003
【図２】
2005175748.tif 000004
【図３】
2005175748.tif 000005
【図４】
2005175748.tif 000006
【図５】
2005175748.tif 000007
【図６】
2005175748.tif 000008
【図７】
2005175748.tif 000009
【図８】
2005175748.tif 000010
【図９】
2005175748.tif 000011
【図１０】
2005175748.tif 000012